(57)【要約】      （修正有）【課題】複数のＬＥＤを配置した絶縁基板と反射板を用いて、直接光と間接光を活用できる照明装置を提供する。【解決手段】ＬＥＤと反射板３とで構成される照明装置１であって、複数のＬＥＤを配置した絶縁基盤と、該絶縁基板を取り付けた高熱伝導性金属板４と、該金属板を保持する装置本体２と、装置本体２に着脱可能に取り付けられ、前記複数のＬＥＤを配置した絶縁基板のＬＥＤ配置面と対向し、該ＬＥＤの光を反射する反射板３とから構成される。【選択図】図１
0003147498.tif 000002
【実用新案登録請求の範囲】
【請求項１】
ＬＥＤと反射板とで構成される照明装置であって、複数のＬＥＤを配置した絶縁基盤と、該絶縁基板を取り付けた高熱伝導性金属板と、該金属板を保持する装置本体と、該装置本体に着脱可能に取り付けられ、前記複数のＬＥＤを配置した絶縁基板のＬＥＤ配置面と対向し、該ＬＥＤの光を反射する反射板とから構成されたことを特徴とする照明装置。
【請求項２】
前記高熱伝導性金属板は、平板をＶ字形状に折り曲げて成形され、前記装置本体の下方で前記Ｖ字形状の開放側を保持されると共に、前記複数のＬＥＤを配置した絶縁基板を外側両面に取り付けたことを特徴とする請求項１記載の照明装置。
【請求項３】
前記高熱伝導性金属板は、平板を多角柱形状に折り曲げて成形され、前記装置本体の下方で前記多角柱形状の両端に取り付けられた保持部材によって離間して保持されると共に、前記複数のＬＥＤを配置した絶縁基板を前記多角柱の外側面に取り付けたことを特徴とする請求項１記載の照明装置。
【考案の詳細な説明】
【技術分野】
【０００１】
本考案は、照明装置であって、とくに複数のＬＥＤを配置した絶縁基板と反射板を用い、ＬＥＤの直接光と反射板による間接光とを利用した照明装置に関するものである。
【背景技術】
【０００２】
近年、ＬＥＤを使用した各種の照明装置が提案され商品化されている。ＬＥＤは従来の光源の構成と異なり、長寿命であり、消費電力が少ないという特徴がある。
【０００３】
この特徴を利用するＬＥＤ照明光源として、基板上に複数のＬＥＤベアチップを高密度実装し、当該ＬＥＤベアチップ表面を光透過樹脂で被装してなるＬＥＤモジュールがある（特許文献１参照。）。また、所定の照射範囲と略対向した主面と、当該主面の背面側に所定のテーパを以って形成されて所定の照射範囲から視認不能なテーパ面とを有する立体状の絶縁性基材に、絶縁性基材の主面に設けられた直接照明用ＬＥＤと、テーパ面に設けられた間接照明用ＬＥＤと、間接照明用ＬＥＤから出射されたＬＥＤ光が入射されて、所定の照射範囲に向けて反射する反射板からなるＬＥＤランプもある（特許文献１参照。）。
【０００４】
【特許文献１】特開２００３−１２４５２８号公報
【特許文献２】特開２００８−９１２３８号公報
【考案の開示】
【考案が解決しようとする課題】
【０００５】
しかしながら、上記特許文献１に提案されている技術は、複数のＬＥＤベアチップを基板上に高密度実装したＬＥＤモジュールであり、コネクターによって取り付け、取り外しが容易で、放熱性を考慮した照明光源を提供するものであるが、反射板を使用する照明装置に関しては、具体的な提案はなされていないものであった。また、特許文献２に記載された技術は、単一の光源によって直接照明と間接照明を実現するものであるが、放熱性を考慮した構成ではなかった。
【０００６】
上記の問題点に鑑み本考案者は、複数のＬＥＤを配置した絶縁基板と反射板を用いて、ＬＥＤの直接光と反射板による間接光とを活用すると共に、高熱伝導性金属板を有効に使用してＬＥＤから発生する熱を効率よく放熱できる照明装置を提供するに至った。
【課題を解決するための手段】
【０００７】
このため、本発明の照明装置は、ＬＥＤと反射板とで構成される照明装置であって、複数のＬＥＤを配置した絶縁基盤と、該絶縁基板を取り付けた高熱伝導性金属板と、該金属板を保持する装置本体と、該装置本体に着脱可能に取り付けられ、前記複数のＬＥＤを配置した絶縁基板のＬＥＤ配置面と対向し、該ＬＥＤの光を反射する反射板とから構成されたことを特徴とする。
【０００８】
また、前記高熱伝導性金属板は、平板をＶ字形状に折り曲げて成形され、前記装置本体の下方で前記Ｖ字形状の開放側を保持されると共に、前記複数のＬＥＤを配置した絶縁基板を外側両面に取り付けたことを特徴とする。
【０００９】
そして、前記高熱伝導性金属板は、平板を多角柱形状に折り曲げて成形され、前記装置本体の下方で前記多角柱形状の両端に取り付けられた保持部材によって離間して保持されると共に、前記複数のＬＥＤを配置した絶縁基板を前記多角柱の外側面に取り付けたことを特徴とする。
【００１０】
尚、本考案に使用する絶縁基板としては、アルミや鉄などを基材とする絶縁基板に電気回路が形成されたものが望ましい。
【考案の効果】
【００１１】
本考案に係るによれば、複数のＬＥＤを配置した絶縁基盤と、高熱伝導性金属板とを取り付けたため、効率よくＬＥＤの発生する熱を放熱することができるという効果を有する。
【００１２】
しかも、上記の高熱伝導性金属板はＶ字形状や多角形状に折り曲げて成形されているため、設置する装置に対して放熱表面積が非常に大きくなるという効果を有する。
【００１３】
また、装置本体には、複数のＬＥＤを配置した絶縁基板のＬＥＤ配置面と対向して反射板が取り付けられており、ＬＥＤからの直接光と反射板からの間接光を効率よく活用することができる。
【考案を実施するための最良の形態】
【００１４】
以下、本考案を実施例を示す図面を参照しながら説明するが、本考案が本実施例に限定されないことは言うまでもない。図１は、本考案の一実施例を示す斜視図、図２は図１の正面説明図、図３はＬＥＤ基板を示す説明図、図４は他の実施例を示す斜視図である。
【実施例】
【００１５】
図１、図２に示すように、本考案の照明装置１は、上部が開放された金属製の筐体からなる装置本体２と、装置本体２の下部にボルトによって取り付けられた側面視円弧状の反射板３と、アルミ等の金属板を折り曲げて三角柱状の成形された高熱伝導性金属板４と、この金属板４の外側面略中央に取り付けられた３枚のＬＥＤ基板５とから構成され、電源装置６からの給電によってＬＥＤ基板５の表面に配置された複数のＬＥＤが駆動されて発光する。
【００１６】
反射板３は、アルミ二ウム板の表面に高純度のチタン及びシリコンをコーティングし反射率が９０％以上とされ、側面視円弧状に成形したものであり、装置本体２の下面にボルトによって着脱可能に取付られ、後述するＬＥＤ７が発光する光を効率よく反射する。
【００１７】
高熱伝導性金属板４は、アルミ、銅などの熱伝導性に優れた金属板が使用され、後述するＬＥＤ基板５を取り付け可能な面積以上の外側面を有する三角柱状に形成されており、板金用折り曲げ機によって折り曲げた後、溶接される。そして、高熱伝導性金属板４の両端部には上記装置本体２の長手方向両端部と接続する保持部材８が取り付けられ、長孔９によって高熱伝導性金属板４と装置本体２との間隔が調整されて取り付けられると共に、高熱伝導性金属板４の端部中央から延出する連結部１２とボルト１３によってボルト１３周りに回動可能とされている。
【００１８】
ＬＥＤ基板５は、図３に示すように、金属基材表面に絶縁層が形成された絶縁基板９に回路パターン（図せず）が形成され、接続用金属ペーストを介してＬＥＤ７が実装されて構成されている。そして上記熱伝導性金属板４の３面の外側面にボルトによってそれぞれ取り付けられ、コネクター１０を介して上述した電源装置６と接続される。尚、ＬＥＤ基板５の上部には、ＬＥＤ７破損防止用の透明カバー１１が取り付けられている。
【００１９】
上記の構成からなる、本考案の照明装置は、三角柱状に形成された高熱伝導性金属板の外側面に、複数のＬＥＤを配置した絶縁基板を取り付け、電源装置からの給電によってＬＥＤを発光させるため、ＬＥＤの発光に伴って発生する熱を高熱伝導性金属板を介して効率よく放熱することができ、ＬＥＤや周辺の回路の熱による劣化を防止しすることができる。しかも、ＬＥＤが配置された絶縁基板面と対向して反射板が取り付けられているため、ＬＥＤの発した光が効率よく反射して間接光として供給できる。尚、本実施例においては三角柱状に成形された高熱伝導性金属板を使用する例を説明したが、四角以上の多角形状であってもかまわない。
【００２０】
次に、図４に従って本考案の他の実施例を説明する。尚、本実施例のＬＥＤ基板は上記の実施例と同等であり、説明は省略する。
【００２１】
図に示すように、本考案の照明装置１は、上部が開放された金属製の筐体からなる装置本体２と、アルミ等の金属板を折り曲げて略Ｖ字形状に成形し、このＶ字形状の開放側と装置本体２の下部とをボルトによって取り付けられた高熱伝導性金属板４と、この金属板４の外側面略中央に取り付けられた２枚のＬＥＤ基板５と、ＬＥＤ基板５のＬＥＤが配置された面と対向して取り付けられた１対の反射板３とから構成され、電源装置６からの給電によってＬＥＤ基板５のＬＥＤ７が駆動されて発光する。
【００２２】
反射板３は、アルミ二ウム板の表面に高純度のチタン及びシリコンをコーティングし反射率が９０％以上とされ、側面視多角状に成形したものであり、装置本体２の下面に、後述する高熱伝導性金属板４と重合してボルトによって着脱可能に取付られる。
【００２３】
高熱伝導性金属板４は、アルミ、銅などの熱伝導性に優れた金属板が使用され、ＬＥＤ基板５を取り付け可能な面積以上の外側面を有しＶ字形状に形成されており、板金用折り曲げ機によって折り曲げて上記した装置本体２と接続する縁部を残して形成される。
【００２４】
上記の構成からなる、本考案の照明装置は、Ｖ字形状に形成された高熱伝導性金属板の外側面に、複数のＬＥＤを配置した絶縁基板をそれぞれ取り付け、電源装置からの給電によってＬＥＤを発光させるため、ＬＥＤの発光に伴って発生する熱を高熱伝導性金属板を介して効率よく放熱することができ、ＬＥＤや周辺の回路の熱による劣化を防止しすることができる。しかも、ＬＥＤが配置された絶縁基板面と対向して反射板が取り付けられているため、ＬＥＤの発した光が効率よく反射して間接光として供給できる。
【００２５】
以上、本考案の照明装置によれば、複数のＬＥＤを配置した絶縁基板のＬＥＤ配置面と対向して反射板が取り付けられており、ＬＥＤからの直接光と反射板からの間接光を効率よく活用することができると共に、複数のＬＥＤを配置した絶縁基盤と、高熱伝導性金属板とを取り付けたため、効率よくＬＥＤの発生する熱を放熱することができる。
【図面の簡単な説明】
【００２６】
【図１】本考案に係る照明装置の一実施例を示す説明図である。
【図２】図１の正面説明図である。
【図３】ＬＥＤ基板を示す説明図である。
【図４】他の実施例を示す説明図である。
【符号の説明】
【００２７】
１              照明装置
２              装置本体
３              反射板
４              高熱伝導性金属板
５              ＬＥＤ基板
６              電源装置
７              ＬＥＤ
８              保持部材
９              長孔
１０              コネクター
１１              透明カバー
１２              連結部
１３              ボルト
【図１】
0003147498.tif 000003
【図２】
0003147498.tif 000004
【図３】
0003147498.tif 000005
【図４】
0003147498.tif 000006
【手続補正書】
【提出日】平成20年10月28日(2008.10.28)
【手続補正２】
【補正対象書類名】明細書
【補正対象項目名】０００３
【補正方法】変更
【補正の内容】
【０００３】
この特徴を利用するＬＥＤ照明光源として、基板上に複数のＬＥＤベアチップを高密度実装し、当該ＬＥＤベアチップ表面を光透過樹脂で被装してなるＬＥＤモジュールがある（特許文献１参照。）。また、所定の照射範囲と略対向した主面と、当該主面の背面側に所定のテーパを以って形成されて所定の照射範囲から視認不能なテーパ面とを有する立体状の絶縁性基材に、絶縁性基材の主面に設けられた直接照明用ＬＥＤと、テーパ面に設けられた間接照明用ＬＥＤと、間接照明用ＬＥＤから出射されたＬＥＤ光が入射されて、所定の照射範囲に向けて反射する反射板からなるＬＥＤランプもある（特許文献２参照。）。